(57)【特許請求の範囲】
【請求項１】
器具本体と；
接続コネクタおよび係合部を有し、引掛シーリングに装着されるとともにアース接続可能とするアダプタと；
器具本体に設けられ、アダプタの係合部に係合して取り付けられるアダプタ取付部と；
アダプタの係合部とアダプタ取付部とにそれぞれ設けられ、これらアダプタの係合部とアダプタ取付部との係合状態で互いに接触するアース接続部と；
着脱手段および固定手段のいずれか一方を有するランプホルダ体と；
器具本体に設けられ、着脱手段を有するランプホルダ体は着脱可能に装着するとともに、固定手段を有するランプホルダ体は固定状態に装着するランプホルダ体取付部を有する反射体と；
ランプホルダ体取付部に設けられ、アダプタの接続コネクタが接続されるコネクタ接続部と；
反射体の内側に配置され、アダプタ取付部のアース接続部およびコネクタ接続部と電気的に接続されるとともに、ランプホルダ体取付部に装着される各ランプホルダ体が電気的に接続される点灯装置と；
を備えていることを特徴とする照明器具。
【請求項２】
アダプタには、係合部がアダプタの周面から進退可能に突出されているとともに、この係合部にアダプタ側のアース接続部が設けられ、
アダプタ取付部には、アダプタの係合部が係合する環状の係合受部が設けられているとともに、この係合受部にアダプタ取付部側のアース接続部が環状に設けられている
ことを特徴とする請求項１記載の照明器具。
【請求項３】
アダプタは、引掛シーリングへの取付面から進退可能に突出されるとともに突出方向に付勢されたアース端子を有している
ことを特徴とする請求項１または２記載の照明器具。
【請求項４】
引掛シーリングとこの引掛シーリングに装着されたアダプタとにそれぞれ着脱可能に係合し、引掛シーリングに対してアダプタを支持するアダプタ支持体を備えている
ことを特徴とする請求項１ないし３いずれか一記載の照明器具。
【発明の詳細な説明】
【０００１】
【発明の属する技術分野】
本発明は、照明器具に関する。
【０００２】
【従来の技術】
従来、例えば、環形蛍光ランプを使用する照明器具では、器具本体の下面側に反射体および環形蛍光ランプを配置し、器具本体や反射体の内側に点灯装置を配置している。
【０００３】
このような照明器具では、反射体または器具本体にランプソケットおよびランプホルダを固定した固定式の構成の他、反射体にランプホルダ体取付部を設け、このランプホルダ体取付部に環形蛍光ランプを装着したランプホルダ体を着脱可能に取り付けるようにした着脱式の構成が知られている。
【０００４】
【発明が解決しようとする課題】
しかしながら、ランプホルダ体を用いる着脱式の照明器具とランプホルダ体を用いない固定式の照明器具とでは、ランプホルダ体を用いるか用いないかで構成が大きく相違することから、それぞれ専用の部品を用いており、共通化が難しい問題を有している。
【０００５】
本発明は、このような点に鑑みなされたもので、ランプホルダ体を用いて着脱可能とする着脱式と、着脱可能としない固定式とで、部品を共用できる照明器具を提供することを目的とする。
【０００６】
【課題を解決するための手段】
請求項１記載の照明器具は、器具本体と；接続コネクタおよび係合部を有し、引掛シーリングに装着されるとともにアース接続可能とするアダプタと；器具本体に設けられ、アダプタの係合部に係合して取り付けられるアダプタ取付部と；アダプタの係合部とアダプタ取付部とにそれぞれ設けられ、これらアダプタの係合部とアダプタ取付部との係合状態で互いに接触するアース接続部と；着脱手段および固定手段のいずれか一方を有するランプホルダ体と；器具本体に設けられ、着脱手段を有するランプホルダ体は着脱可能に装着するとともに、固定手段を有するランプホルダ体は固定状態に装着するランプホルダ体取付部を有する反射体と；ランプホルダ体取付部に設けられ、アダプタの接続コネクタが接続されるコネクタ接続部と；反射体の内側に配置され、アダプタ取付部のアース接続部およびコネクタ接続部と電気的に接続されるとともに、ランプホルダ体取付部に装着される各ランプホルダ体が電気的に接続される点灯装置と；を備えているものである。
【０００７】
そして、反射体のランプホルダ体取付部に、着脱手段を有するランプホルダ体は着脱可能に装着するとともに、固定手段を有するランプホルダ体は固定状態に装着するので、すなわち、着脱式と同様のランプホルダ体を固定式でも用いるので、着脱式の照明器具と固定式の照明器具とで部品を共用可能とする。さらに、アダプタの係合部とアダプタ取付部とに、これらアダプタの係合部とアダプタ取付部との係合状態で互いに接触するアース接続部をそれぞれ設けたので、アダプタをアダプタ取付部に取り付けるだけで容易にアース接続可能とする。ランプホルダ体取付部のコネクタ接続部に、アダプタの接続コネクタを接続するので、ランプの光が接続コネクタに当たらないようにし、接続コネクタの劣化を防止可能とする。
【０００８】
請求項２記載の照明器具は、請求項１記載の照明器具において、アダプタには、係合部がアダプタの周面から進退可能に突出されているとともに、この係合部にアダプタ側のアース接続部が設けられ、アダプタ取付部には、アダプタの係合部が係合する環状の係合受部が設けられているとともに、この係合受部にアダプタ取付部側のアース接続部が環状に設けられているものである。
【０００９】
そして、アダプタの係合部とアダプタ取付部の係合受部とに、これらアダプタの係合部とアダプタ取付部の係合受部との係合状態で互いに接触するアース接続部をそれぞれ設けたので、アダプタをアダプタ取付部に取り付けるだけで容易にアース接続できる。
【００１０】
請求項３記載の照明器具は、請求項１または２記載の照明器具において、アダプタは、引掛シーリングへの取付面から進退可能に突出されるとともに突出方向に付勢されたアース端子を有しているものである。
【００１１】
そして、アダプタの引掛シーリングへの取付面からアース端子を進退可能に突出させるとともに突出方向に付勢したので、引掛シーリングがアース付の場合には突出するアース端子を介してアース接続するとともに、アース無の場合にはアース端子が後退して引掛シーリングへのアダプタの取り付けを許容し、引掛シーリングのアース付とアース無とに対してアダプタを共用可能とする。
【００１２】
請求項４記載の照明器具は、請求項１ないし３いずれか一記載の照明器具において、引掛シーリングとこの引掛シーリングに装着されたアダプタとにそれぞれ着脱可能に係合し、引掛シーリングに対してアダプタを支持するアダプタ支持体を備えているものである。
【００１３】
そして、引掛シーリングとこの引掛シーリングに装着されたアダプタとにそれぞれ着脱可能に係合し、引掛シーリングに対してアダプタを支持するアダプタ支持体を備えているので、このアダプタ支持体でアダプタに取り付けられる照明器具を支持してアダプタの負担を軽減可能とする。
【００１４】
【発明の実施の形態】
以下、本発明の一実施の形態を図面を参照して説明する。
【００１５】
図１は固定式の照明器具の分解状態の斜視図、図２は固定式の照明器具の断面図、図３は着脱式の照明器具の分解状態の斜視図、図４は着脱式の照明器具の断面図、図５は引掛シーリング、アダプタおよびアダプタ支持体の斜視図である。
【００１６】
天井などの器具取付面11には丸形の引掛シーリング12が設置され、この引掛シーリング12の周面下部には凸段部13が突出形成され、下面には一対の円弧状をなす接続孔14が形成され、これら接続孔14の内側にそれぞれ電源線に接続される接続金具が配設されている。この引掛シーリング12は、アース付タイプで、下面中央部にアース接続孔15が形成され、このアース接続孔15の内側にアース線に接続されたアース金具が配設されている。なお、アース無タイプの引掛シーリング12ではアース接続孔15は形成されていない。
【００１７】
そして、照明器具は、アダプタ21、器具本体22、反射体23、点灯装置24、ランプホルダ体25、およびセード26を有している。ランプホルダ体25は、図３および図４に示す着脱式の照明器具用のランプホルダ体25aと、図１および図２に示す固定式の照明器具用のランプホルダ体25bとがある。
【００１８】
アダプタ21は、アダプタ本体31を有し、アダプタ本体31の周面の対称的な２箇所に平坦面32が形成され、上面には断面略Ｌ字状の一対の引掛金具33が突設されており、これら引掛金具33を引掛シーリング12の接続孔14に挿入して所定角度だけ回動させることにより、アダプタ本体31の上面が引掛シーリング12の下面に当接した状態で、これら引掛金具33が引掛シーリング12内の接続金具に電気的および機械的に接続される。
【００１９】
アダプタ本体31の上面中央にはピン状のアース端子34が進退可能に突出されているとともに、アダプタ本体31内に配置される図示しない付勢手段で突出方向に付勢されており、引掛シーリング12がアース付の場合には、突出するアース端子34がアース接続孔15に挿入されて内側のアース金具に電気的に接続される。また、引掛シーリング12がアース無の場合には、アース端子34が引掛シーリング12の下面に当接してアダプタ本体31内に後退し、引掛シーリング12に対するアダプタ21の装着が許容される。
【００２０】
アダプタ本体31の周面の対称的な２箇所には、上面が水平な係止面で下面が傾斜した傾斜面の係合部35が進退可能に突出されているとともに、これら係合部35がアダプタ本体31内に配置される図示しない付勢手段で突出方向に付勢されている。これら係合部35の上面には、アース端子34と電気的に接続されたアース接続部36がわずかに突出する状態に配設されている。
【００２１】
アダプタ本体31の下面中央には解除ボタン37が進退可能に突出されており、この解除ボタン37をアダプタ本体31内に押し込み操作することにより、各係合部35がアダプタ本体31内に後退するようになっている。
【００２２】
アダプタ本体31の平坦面32の位置からは、各引掛金具33に電気的に接続された電線38が導出され、この電線38の先端に接続コネクタ39が取り付けられている。
【００２３】
また、器具本体22は、中央部にアダプタ21が挿通される開口部41が形成された略円盤状に形成され、上面には器具本体22と器具取付面11との間に介在される例えばスポンジなどの弾性部材42が取り付けられている。器具本体22の下面周縁近傍には、セード26を取り付けるための図示しない複数のセード支持金具が取り付けられている。
【００２４】
器具本体22の開口部41にはアダプタ21を取り付けるアダプタ取付部44が取り付けられ、このアダプタ取付部44は上下に開口してアダプタ21を嵌合可能とする円筒状に形成され、このアダプタ取付部44の内周にはアダプタ21の係合部35が係合可能とする上側の係合受部45が内方へ向けて環状に突出形成されているとともにこの上側の係合受部45より下方位置に下側の係合受部46が内方へ向けて環状に突出形成されている。上側の係合受部45の下面には引掛シーリング12が埋込形で高さが低い場合にアダプタ21の係合部35が係合され、下側の係合受部46の下面は引掛シーリング12が丸形や角形で高さが高い場合にアダプタ21の係合部35が係合される。これら係合受部45，46の下面には、係合部35が係合した際に、係合部35のアース接続部36と互いに接触して電気的に接続されるアース接続部47がわずかに突出する状態にそれぞれ配設されている。
【００２５】
また、反射体23は、周縁部が上方に折曲された円盤状に形成され、器具本体22の下面中央に配置されて周縁部を介してねじ止めにより固定されている。反射体23には、中央部に開口部51が形成されているとともに、この開口部51を中心として直線状に溝部52が形成され、この溝部52に沿ってランプホルダ体25（着脱式および固定式のランプホルダ体25a，25b）が装着される凹溝状のランプホルダ体取付部53が形成されている。このランプホルダ体取付部53は、開口部51の一端側の溝部52内の取付部材54および他端側の溝部52内の取付部材55を有し、これら取付部材54，55がアダプタ取付部44に一体または別体に形成されている。
【００２６】
一方の取付部材54は、着脱式および固定式のランプホルダ体25a，25bに共通で、外側の端部にはランプホルダ体25の一端が差し込み係合される差込受部56が形成されている。この差込受部56には、ランプホルダ体25の一端が差し込まれる凹部57、およびランプホルダ体25の一端下面を支える支え部58が形成されている。
【００２７】
他方の取付部材55は、着脱式および固定式のランプホルダ体25a，25bに対応して個別に用いられるもので、着脱式のランプホルダ体25a用の取付部材55aでは、溝内の両側壁に係止孔59が形成され、溝内の上面壁にプラグ挿通孔60が形成されている。なお、各係止孔59の位置に対応して、反射体23の溝部52の両側表面には凹部61が形成されている。また、固定式のランプホルダ体25b用の取付部材55bでは、溝内に壁部62が形成され、この壁部62に係止爪63が突出形成され、溝内の上面壁にプラグ挿通孔60が形成されている。
【００２８】
ランプホルダ体取付部53には、アダプタ21の接続コネクタ39を差込接続する図示しないコネクタ接続部が配設されている。このコネクタ接続部は、ランプホルダ体取付部53に位置していて接続コネクタ39を接続可能であればいずれの位置に配設してもよい。
【００２９】
また、点灯装置24は、器具本体22との間で反射体23の内側に配設される回路基板71を有し、この回路基板71上に例えばインバータ点灯回路などが構成されている。回路基板71には、ランプホルダ体取付部53のプラグ挿通孔60に臨む位置にランプホルダ体25と電気的に接続されるコネクタ72が配設され、さらに、各アース接続部46およびコネクタ接続部が電気的に接続されている。
【００３０】
また、ランプホルダ体25は、図３および図４に示す着脱式の照明器具用のランプホルダ体25aと、図１および図２に示す固定式の照明器具用のランプホルダ体25bとがある。
【００３１】
着脱式のランプホルダ体25aは、ランプホルダ体取付部53に嵌合される横長の基部81を有し、この基部81の一端には取付部材54の差込受部56に差込係合される差込部82が形成され、基部81の他端側にはランプホルダ体取付部53に対して着脱可能とする着脱手段83が配設されている。この着脱手段83は、基部81の両側面から進退可能に突出されるとともに図示しない付勢手段で突出方向に付勢された係止爪84を有し、これら係止爪84が取付部材55aの係止孔59に挿脱可能になっている。各係止爪84の下側には各係止爪84を進退させる操作ボタン85が係止爪84と一体的に設けられている。ランプホルダ体25aの一端下面には複数のランプホルダ86が取り付けられ、他端下面には複数のランプソケット87が取り付けられているとともに、他端上面には各ランプソケット87と電気的に接続されたプラグ88が突設されている。
【００３２】
固定式のランプホルダ体25bは、ランプホルダ体取付部53に嵌合される横長で板状の基部91を有し、この基部91の一端には取付部材54の差込受部56に差込係合される差込部92が形成され、基部91の他端側にはランプホルダ体取付部53に対して固定する固定手段93が配設されている。この固定手段93は、基部81の上面側に突設された略Ｌ字形の固定爪94を有し、この固定爪94が取付部材55bの係止爪63に係合することで固定される。基部94の中央にはアダプタ21の解除ボタン37が挿通される挿通孔95が形成されている。ランプホルダ体25bの一端下面にはランプホルダ96が取り付けられ、他端下面にはランプソケット97が取り付けられているとともに、他端上面には各ランプソケット97と電気的に接続されたプラグ98が突設されている。
【００３３】
これらのランプホルダ体25a，25bに装着されるランプは、環形蛍光ランプ101であり、ランプホルダ86，96に保持される環状の発光管102、およびランプソケット87，97に接続される口金103を有している。
【００３４】
また、セード26は、透光性を有し、器具本体22の下面全体を囲繞可能としており、上面に器具本体22に被着する開口部111が形成され、この開口部111の縁部に器具本体22の各セード支持金具に着脱可能に取り付けられる図示しない複数のセード取付金具が取り付けられている。
【００３５】
なお、反射体23の下面に着脱可能とする中央反射板121を必要に応じて用い、配光を調整するようにしてもよい。
【００３６】
そして、図３および図４に示すように、器具取付面11に、着脱式の照明器具を設置する場合には、引掛シーリング12にアダプタ21を取り付け、このアダプタ21に器具本体22の開口部41つまりアダプタ取付部44を合わせて押し上げることにより、アダプタ21の外側にアダプタ取付部44が嵌合するとともに、アダプタ21の側面から突出する各係合部35が上側の係合受部45を経て下側の係合受部46に係合し、アダプタ21に器具本体11が支持される。
【００３７】
アダプタ21から引き出されている電線38の接続コネクタ39をランプホルダ体取付部53のコネクタ接続部に接続する。この状態で、電源に対して引掛シーリング12およびアダプタ21を介して点灯装置24に電源が供給される。
【００３８】
環形蛍光ランプ101を装着したランプホルダ体25aの一端の差込部82を斜め下方からランプホルダ体取付部53の取付部材54の差込受部56に差込係合し、その差込係合した差込部82を支点としてランプホルダ体25aの他端側を上方へ移動させてランプホルダ体取付部53に嵌合し、このランプホルダ体25aの両側の係止爪84を取付部材55aの各係止孔59に係合し、ランプホルダ体25aをランプホルダ体取付部53に着脱可能に取り付ける。このとき、ランプホルダ体25aのプラグ88が取付部材55aのプラグ挿通孔60を通じて点灯装置24のコネクタ72に差込接続され、点灯装置24と各ランプソケット87とが電気的に接続される。
【００３９】
器具本体22の下方からセード26を被せて押し上げるとともに所定角度回動させることにより、器具本体22の各セード支持金具にセード26の各セード取付金具を係合させて、器具本体22にセード26を取り付ける。
【００４０】
そして、ランプ交換の際には、セード26を逆方向に回動させて器具本体22から外し、ランプホルダ体25aの両側の操作ボタン85を押し込んで各係止爪84を取付部材55aの各係止孔59から外し、ランプホルダ体25aの他端側を下方へ移動させながら、一端の差込部82を取付部材54の差込受部56から外す。外したランプホルダ体25aに対して環形蛍光ランプ101を交換した後、上述したように、器具本体22にランプホルダ体25aおよびセード26を取り付ける。
【００４１】
また、固定式の照明器具は、器具本体22側のランプホルダ体取付部53にランプホルダ体25bが固定されている。ランプホルダ体25bを固定する場合には、ランプホルダ体25bの一端の差込部92をランプホルダ体取付部53の取付部材54の差込受部56に差込係合し、その差込係合した差込部92を支点としてランプホルダ体25bの他端側をランプホルダ体取付部53に嵌合し、このランプホルダ体25bの固定爪94を取付部材55bの係止爪63に係合し、ランプホルダ体25bをランプホルダ体取付部53に固定的に取り付ける。このとき、ランプホルダ体25bのプラグ98が取付部材55bのプラグ挿通孔60を通じて点灯装置24のコネクタ72に差込接続され、点灯装置24と各ランプソケット97とが電気的に接続される。
【００４２】
図１および図２に示すように、器具取付面11に、固定式の照明器具を設置する場合には、引掛シーリング12にアダプタ21を取り付け、このアダプタ21に器具本体22の開口部41つまりアダプタ取付部44を合わせて押し上げることにより、アダプタ21の外側にアダプタ取付部44が嵌合するとともに、アダプタ21の側面から突出する各係合部35が上側の係合受部45を経て下側の係合受部46に係合し、アダプタ21に器具本体11が支持される。
【００４３】
アダプタ21から引き出されている電線38の接続コネクタ39をランプホルダ体取付部53のコネクタ接続部に接続する。この状態で、電源に対して引掛シーリング12およびアダプタ21を介して点灯装置24に電源が供給される。
【００４４】
ランプホルダ体25bに環形蛍光ランプ101を装着し、器具本体22の下方からセード26を被せて押し上げるとともに所定角度回動させることにより、器具本体22の各セード支持金具にセード26の各セード取付金具を係合させて、器具本体22にセード26を取り付ける。
【００４５】
そして、ランプ交換の際には、セード26を逆方向に回動させて器具本体22から外し、ランプホルダ体25aに対して環形蛍光ランプ101を交換した後、上述したように、器具本体22にセード26を取り付ける。
【００４６】
このように、反射体23のランプホルダ体取付部53に、着脱手段83を有するランプホルダ体25aは着脱可能に装着するとともに、固定手段93を有するランプホルダ体25bは固定状態に装着するので、すなわち、着脱式と同様のランプホルダ体25bを固定式でも用いるので、着脱式の照明器具と固定式の照明器具とで、着脱構造と固定構造に関連した一部を除き、大部分の部品を共用できる。
【００４７】
つまり、ランプホルダ体取付部53の取付部材55a，55bを除き、器具本体22、反射体23、点灯装置24、アダプタ取付部44、ランプホルダ体取付部53の取付部材54、セード26などを共用できる。
【００４８】
また、ランプホルダ体取付部44にアダプタ21の接続コネクタ39を接続するコネクタ接続部を設けたので、ランプホルダ体取付部44に取り付けられたランプホルダ体25で環形蛍光ランプ101の光が接続コネクタ39に当たらないようにでき、接続コネクタ39の紫外線劣化を防止できる。
【００４９】
また、アダプタ21の引掛シーリング12への取付面からアース端子34を進退可能に突出させるとともに突出方向に付勢したので、引掛シーリング12がアース付の場合には突出するアース端子34を介してアース接続できるとともに、アース無の場合にはアース端子34が後退して引掛シーリング12へのアダプタ21の取り付けを許容でき、引掛シーリング12のアース付とアース無とに対してアダプタ21を共用できる。
【００５０】
また、アダプタ21の係合部35とアダプタ取付部44の係合受部45，46とに、これらアダプタ21の係合部35とアダプタ取付部44の係合受部45，46との係合状態で互いに接触するアース接続部36，47をそれぞれ設けたので、アダプタ21をアダプタ取付部44に取り付けるだけで容易にアース接続できる。
【００５１】
また、図５に示すように、引掛シーリング12にアダプタ21を支持するアダプタ支持体131を用いてもよい。このアダプタ支持体131は、例えば金属製で、引掛シーリング12の凸段部13上に係合される引掛シーリング係合部132、アダプタ21の下面に係合されるアダプタ係合部133、これら係合部132，133を連結する連結部134を有する断面略コ字形に形成されている。引掛シーリング係合部132には、引掛シーリング12の周面に嵌合する嵌合溝135が形成されているとともに、引掛シーリング12の凸段部13上に係合される略Ｕ字状の係合片136が形成されている。アダプタ係合部133には、解除ボタン37が挿通される挿通溝137が形成されているとともに、アダプタ21の下面に係合される略Ｕ字状の係合片138が形成され、この係合片138上に樹脂製の当接板139が配置されている。
【００５２】
そして、アダプタ支持体131を取り付けるには、引掛シーリング係合部132を引掛シーリング12の凸段部13上に係合するとともに、アダプタ係合部133をアダプタ21の下面に係合し、連結部134をアダプタ21の側面の平坦面32に接合させる。このアダプタ支持体131により、引掛シーリング12に対してアダプタ21を支持するので、アダプタ21に取り付けられる照明器具を支持でき、アダプタ21の引掛金具33の加わる負担を軽減できる。
【００５３】
連結部134をアダプタ21の側面の平坦面32に接合させることにより、アダプタ21の外周面の仮想円内に連結部134を位置させることができ、アダプタ支持体131を取り付けた状態でも器具本体22のアダプタ取付部44内に挿入することができる。
【００５４】
なお、ランプホルダ体25の基部81，91に対してランプホルダ86，96およびランプソケット87，97はそれぞれ着脱可能に構成してもよく、この場合、器具種類に応じてランプホルダ86，96およびランプソケット87，97を任意に選定して組み合わせることで、ランプホルダ体25の基部81，91を共通化できる。
【００５５】
【発明の効果】
請求項１記載の照明器具によれば、反射体のランプホルダ体取付部に、着脱手段を有するランプホルダ体は着脱可能に装着するとともに、固定手段を有するランプホルダ体は固定状態に装着し、かつ、ランプホルダ体取付部に各ランプホルダ体を装着することで点灯装置に電気的に接続するので、すなわち、着脱式と同様のランプホルダ体を固定式でも用いるので、着脱式の照明器具と固定式の照明器具とで部品を共用できる。さらに、アダプタの係合部とアダプタ取付部とに、これらアダプタの係合部とアダプタ取付部との係合状態で互いに接触するアース接続部をそれぞれ設けたので、アダプタをアダプタ取付部に取り付けるだけで容易にアース接続できる。ランプホルダ体取付部のコネクタ接続部に、アダプタの接続コネクタを接続するので、ランプの光が接続コネクタに当たらないようにでき、接続コネクタの劣化を防止できる。
【００５６】
請求項２記載の照明器具によれば、請求項１記載の照明器具の効果に加えて、アダプタの係合部とアダプタ取付部の係合受部とに、これらアダプタの係合部とアダプタ取付部の係合受部との係合状態で互いに接触するアース接続部をそれぞれ設けたので、アダプタをアダプタ取付部に取り付けるだけで容易にアース接続できる。
【００５７】
請求項３記載の照明器具によれば、請求項１または２記載の照明器具の効果に加えて、アダプタの引掛シーリングへの取付面からアース端子を進退可能に突出させるとともに突出方向に付勢したので、引掛シーリングがアース付の場合には突出するアース端子を介してアース接続できるとともに、アース無の場合にはアース端子が後退して引掛シーリングへのアダプタの取り付けを許容でき、引掛シーリングのアース付とアース無とに対してアダプタを共用できる。
【００５８】
請求項４記載の照明器具によれば、請求項１ないし３いずれか一記載の照明器具の効果に加えて、引掛シーリングとこの引掛シーリングに装着されたアダプタとにそれぞれ着脱可能に係合し、引掛シーリングに対してアダプタを支持するアダプタ支持体を備えているので、このアダプタ支持体でアダプタに取り付けられる照明器具を支持してアダプタの負担を軽減できる。
【図面の簡単な説明】
【図１】  本発明の一実施の形態を示す固定式の照明器具の分解状態の斜視図である。
【図２】  同上固定式の照明器具の断面図である。
【図３】  同上着脱式の照明器具の分解状態の斜視図である。
【図４】  同上着脱式の照明器具の断面図である。
【図５】  同上引掛シーリング、アダプタおよびアダプタ支持体の斜視図である。
【符号の説明】
12    引掛シーリング
21    アダプタ
22    器具本体
23    反射体
24    点灯装置
25    ランプホルダ体
34    アース端子
35    係合部
36    アース接続部
39    接続コネクタ
44    アダプタ取付部
45，46 係合受部
47    アース接続部
53    ランプホルダ体取付部
83    着脱手段
93    固定手段
131   アダプタ支持体
【図１】
0004300379.tif 000002
【図２】
0004300379.tif 000003
【図３】
0004300379.tif 000004
【図４】
0004300379.tif 000005
【図５】
0004300379.tif 000006